(57)【要約】【課題】非使用時にはより優れた携行性を発揮でき、使用時にはより優れた本来の機能を発揮できる、帯用前板を提供する。【解決手段】表地２に弾性を有する合成樹脂製の芯板３が重ねられている。芯板３の左右方向の中央部には、切れ目４が形成されている。そのため、その切れ目４を折り目にして帯用前板１を折り畳むことができる。また、切れ目４は、左側に略半円形状に凸湾曲する第１部分４１と右側に略半円形状に凸湾曲する第２部分４２との連続により形成されている。帯用前板１の使用時には、帯用前板１は、折り畳まれた状態から展開されて、表地２が外側（前側）に凸湾曲するように、和服を着用する人の腹に沿わせて湾曲変形される。【選択図】図１
0003214670.tif 000002
【実用新案登録請求の範囲】
【請求項１】
上下幅を有して左右に延びる帯用前板であって、
表地と、
前記表地に重ねて設けられ、弾性を有する合成樹脂製の芯板とを含み、
前記芯板の左右方向の中央部には、切れ目が形成されており、
前記切れ目は、左側に略半円形状に凸湾曲する第１部分と、前記第１部分に連続し、右側に略半円形状に凸湾曲する第２部分とを有している、帯用前板。
【請求項２】
前記切れ目の両端は、前記芯板の上端縁および下端縁に達していない、請求項１に記載の帯用前板。
【請求項３】
前記芯板の外周縁と間隔を空けて、前記表地の外周縁部にその表裏から挟んで縫い付けられたバイアステープをさらに含み、
前記芯板は、その外周縁部が前記表地に縫い付けられている、請求項１または２に記載の帯用前板。
【考案の詳細な説明】
【技術分野】
【０００１】
本考案は、着物の着付時に用いる帯用前板に関する。
【背景技術】
【０００２】
着物の着付時に用いる和装小物には、帯用前板、帯枕、腰紐、着付ベルト、各種止め金具、衿芯などがある。これらの和装小物の中でとりわけ帯用前板は、左右方向に長いため、着物を携行する際の和装バッグなどに収納することができず、その携行性が劣っている。
【０００３】
そこで、出願人は、帯用前板を左右方向の中央で折り曲げて畳めるように形成して、帯用前板の非使用時の左右長を短くすることを先に提案している（たとえば、特許文献１参照）。この提案に係る帯用前板は、弾性を有する合成樹脂の芯板と、芯板に重なる表地とを含み、芯板は、左右方向の中央で左右に２分割されている。この分割により生じる２つの分割片は、互いに突き合わせた状態に配置され、その突き合わされて継ぎ目となる一方の分割片の端縁および他方の分割片の端縁には、それぞれ略円形の切欠部およびその切欠部に嵌合する略円形の突起部が形成されている。帯用前板の使用時には、帯用前板は、折り畳まれた状態から展開されて、表地が外側（前側）に凸湾曲するように変形される。このとき、芯板の突起部が表地を内側（裏側）から弾性的に押圧し、分割片の継ぎ目で表地に折り目が生じることを抑制できる。
【先行技術文献】
【特許文献】
【０００４】
【特許文献１】特開２００２−６９７３２号公報
【考案の概要】
【考案が解決しようとする課題】
【０００５】
ところが、芯板の突起部のサイズが大きいと、帯用前板が折り畳まれたときに、その折り目から突起部が大きく突出する。そのため、帯用前板が和装バッグなどに収納されるときに、折り目から突出した突起部が邪魔になる。
【０００６】
また、帯用前板は、前帯にしわが寄らないように帯の形を整えるために使用されるものである。芯板の突起のサイズが大きいと、帯用前板の使用時に表地における突起部が当接する部分が凸状に大きく変形し、帯用前板の本来の機能が損なわれるおそれがある。
【０００７】
本考案の目的は、非使用時に従来よりも優れた携行性を発揮でき、使用時に従来よりも優れた本来の機能を発揮できる、帯用前板を提供することである。
【課題を解決するための手段】
【０００８】
前記の目的を達成するため、本考案に係る帯用前板は、上下幅を有して左右に延びる帯用前板であって、表地と、表地に重ねて設けられ、弾性を有する合成樹脂製の芯板とを含み、芯板の左右方向の中央部には、切れ目が形成されており、切れ目は、左側に略半円形状に凸湾曲する第１部分と、第１部分に連続し、右側に略半円形状に凸湾曲する第２部分とを有している。
【０００９】
この構成によれば、表地に弾性を有する合成樹脂製の芯板が重ねられている。芯板の左右方向の中央部には、切れ目が形成されている。そのため、その切れ目を折り目にして帯用前板を折り畳むことができる。これにより、帯用前板の非使用時の左右長が短くなるので、帯用前板を和装バッグなどに容易に収納して携行することができる。
【００１０】
また、切れ目は、左側に略半円形状に凸湾曲する第１部分と右側に略半円形状に凸湾曲する第２部分との連続により形成されている。そのため、第１部分を外周縁とする突起部および第２部分を外周縁とする突起部の各サイズが小さく、帯用前板が折り畳まれたときに、それらの突起部が折り目から大きく突出することを抑制できる。その結果、帯用前板が和装バッグなどに収納されるときに、折り目から突出した各突起部が邪魔になることを抑制できる。また、帯用前板の使用時には、表地における突起部が当接する部分が凸状に大きく変形することを抑制できる。
【００１１】
切れ目の両端は、芯板の上端縁および下端縁に達していないことが好ましい。
【００１２】
芯板が２つの分割片に分割された構成では、その２つの分割片を表地に取り付けたときにそれらの相対位置が正規の位置からずれていると、一方の分割片に形成されている突起部が他方の分割片に形成されている切欠部に嵌合しない不都合を生じる。これに対し、切れ目の両端が芯板の上端縁および下端縁に達していない構成では、芯板が２つに分割されていないので、そのような不都合を生じない。
【００１３】
帯用前板は、芯板の外周縁と間隔を空けて、表地の外周縁部にその表裏から挟んで縫い付けられたバイアステープをさらに含み、芯板は、その外周縁部が表地に縫い付けられていてもよい。
【考案の効果】
【００１４】
本考案によれば、帯用前板は、非使用時に従来よりも優れた携行性を発揮することができ、使用時に従来よりも優れた本来の機能を発揮することができる。
【図面の簡単な説明】
【００１５】
【図１】本考案の一実施形態に係る帯用前板の背面図である。
【図２】帯用前板の正面図である。
【図３】帯用前板の斜視図であり、帯用前板が折り畳まれた状態を示す。
【図４】帯用前板の製造途中の状態を示す斜視図である。
【図５】第１の変形例に係る帯用前板の背面図である。
【図６】第２の変形例に係る帯用前板の背面図である。
【考案を実施するための形態】
【００１６】
以下では、本考案の実施の形態について、添付図面を参照しつつ詳細に説明する。
【００１７】
＜帯用前板＞
図１は、本考案の一実施形態に係る帯用前板１の背面図である。図２は、帯用前板１の正面図である。図３は、帯用前板１の斜視図であり、帯用前板１が折り畳まれた状態を示す。
【００１８】
帯用前板１は、和服を着用する際に帯の形を整えるために使用される和装小物であり、上下幅を有して左右に延びる略長方形状をなしている。帯用前板１は、表地２と、表地に重ねられる芯板３とを備えている。
【００１９】
表地２は、自己潤滑性を有する比較的厚手で強靱かつ屈曲性を有する合成樹脂（たとえば、ポリアミド樹脂）製のメッシュ地からなる。
【００２０】
芯板３は、弾性を有する合成樹脂（たとえば、ポリプロピレン）からなる板状体である。芯板３は、表地２の外形よりも小さい外形を有し、芯板３の外端縁は、表地２の外端縁と間隔を空けてその表地２の外端縁に沿っている。
【００２１】
芯板３の左右方向の中央部には、切れ目４が形成されている。切れ目４には、左側に略半円形状に凸湾曲する第１部分４１と、右側に略半円形状に凸湾曲する第２部分４２とが交互に連続して形成されている。図１に示される一例では、切れ目４は、２つの第１部分４１と２つの第２部分４２とを有している。切れ目４の両端は、芯板３の上下方向の両端縁、つまり上端縁および下端縁に達しておらず、芯板３は、一体物として、切れ目４で２つに分割されてはいない。
【００２２】
図４は、帯用前板１の製造途中の状態を示す斜視図である。
【００２３】
芯板３は、縫糸５を用いて、その外周縁部が表地２に縫い付けられている。また、表地２の外周縁部は、バイアステープ６でその表裏から挟まれており、バイアステープ６は、縫糸７を用いて、表地２の外周縁部に縫い付けられている。
【００２４】
＜作用効果＞
以上のように、表地２に弾性を有する合成樹脂製の芯板３が重ねられている。芯板３の左右方向の中央部には、切れ目４が形成されている。そのため、図３に示されるように、その切れ目４を折り目にして帯用前板１を折り畳むことができる。これにより、帯用前板１の非使用時の左右長が短くなるので、帯用前板１を和装バッグなどに容易に収納して携行することができる。
【００２５】
また、切れ目４は、左側に略半円形状に凸湾曲する第１部分４１と右側に略半円形状に凸湾曲する第２部分４２との連続により形成されている。そのため、第１部分４１を外周縁とする突起部４３および第２部分４２を外周縁とする突起部４４の各サイズが小さく、帯用前板１が折り畳まれたときに、それらの突起部４３，４４が折り目から大きく突出することを抑制できる。その結果、帯用前板１が和装バッグなどに収納されるときに、折り目から突出した各突起部４３，４４が邪魔になることを抑制できる。また、帯用前板１の使用時には、表地２を外側（前側）に向けて和服を着用する人の腹に沿わせて湾曲されるが、このときに表地２における突起部４３，４４が当接する部分が凸状に大きく変形することを抑制できる。
【００２６】
よって、帯用前板１は、非使用時にはより優れた携行性を発揮することができ、使用時にはより優れた帯用前板１としての本来の機能、つまり前帯にしわが寄らないように帯の形を整えるという機能を発揮することができる。
【００２７】
芯板３が２つの分割片に分割された構成では、その２つの分割片を表地２に取り付けたときにそれらの相対位置が正規の位置からずれていると、一方の分割片に形成されている突起部が他方の分割片に形成されている切欠部に嵌合しない不都合を生じる。これに対し、切れ目４の両端が芯板３の上端縁および下端縁に達していない構成では、芯板３が２つに分割されていないので、そのような不都合を生じない。
【００２８】
また、表地２の外周縁部は、バイアステープ６でその表裏から挟まれている。そのため、表地２の外周縁部でメッシュ地の糸がほつれることを抑制できる。
【００２９】
＜変形例＞
以上、本考案の一実施形態について説明したが、本考案は、他の形態で実施することもできる。
【００３０】
たとえば、前述の実施形態では、切れ目４が２つの第１部分４１と２つの第２部分４２とを有する構成を取り上げたが、図５に示されるように、切れ目４がそれぞれ１つの第１部分４１および第２部分４２を有していてもよい。また、切れ目４は、第１部分４１と第２部分４２とが交互に連続して形成されていれば、１または２以上の第１部分４１と１または２以上の第２部分４２とを有していてもよい。たとえば、切れ目４は、３つの第１部分４１と２つの第２部分４２とを有していてもよい。
【００３１】
また、第１部分４１および第２部分４２の形状は、略半円形状に限らず、湾曲状であればよい。第１部分４１および第２部分４２は、たとえば、図６に示されるように、直径よりも短い弦を有する円弧状をなしていてもよい。
【００３２】
その他、実用新案登録請求の範囲に記載された事項の範囲で種々の設計変更を施すことが可能である。
【符号の説明】
【００３３】
１    ：帯用前板
２    ：表地
３    ：芯板
４    ：切れ目
４１  ：第１部分
４２  ：第２部分
【図１】
0003214670.tif 000003
【図２】
0003214670.tif 000004
【図３】
0003214670.tif 000005
【図４】
0003214670.tif 000006
【図５】
0003214670.tif 000007
【図６】
0003214670.tif 000008